(57)【特許請求の範囲】
【請求項１】
外箱と内箱とで構成される冷蔵庫であって、前記外箱の正面側の下端に位置する前板部材と、前記外箱の下部のコーナ部を補強するための補強部材とを備え、前記補強部材は、前記外箱の下部の正面側のコーナ部から前記前板部材に沿って伸びる第１部材と、前記外箱の下部の正面側のコーナ部から上方に延びる第２部材と、前記外箱の下部の正面側のコーナ部から前記外箱の下部の背面側のコーナ部に延びる第３部材と、前記外箱の下部の背面側のコーナ部から上方に延びる第４部材とが一体化されたものであり、前記第１部材が前記前板部材に固定されることを特徴とする冷蔵庫。
【請求項２】
外箱と内箱とで構成される冷蔵庫であって、前記外箱の正面側の下端に位置する前板部材と、前記外箱の下部のコーナ部を補強するための補強部材とを備え、前記補強部材は、前記外箱の下部の正面側のコーナ部から前記前板部材に沿って伸びる第１部材と、前記外箱の下部の正面側のコーナ部から上方に延びる第２部材と、前記外箱の下部の正面側のコーナ部から前記外箱の下部の背面側のコーナ部に向かって延びる第３部材とが一体化されたものであり、前記第１部材が前記前板部材に固定されることを特徴とする冷蔵庫。
【請求項３】
前記補強部材は、一枚の鋼板で一体形成されたものであることを特徴とする請求項１又は２に記載の冷蔵庫。
【請求項４】
前記第１部材は、螺子で前記前板部材に固定されることを特徴とする請求項１から３のいずれか１項に記載の冷蔵庫。
【請求項５】
前記冷蔵庫を運搬するときに用いる把手部材を前記前板部材に設け、前記第１部材と前記前板部材と前記把手部材を共締め固定することを特徴とする請求項１から３のいずれか１項に記載の冷蔵庫。
【発明の詳細な説明】
【技術分野】
【０００１】
本発明は冷蔵庫に関し、特に、その外箱の剛性向上構成に関するものである。
【背景技術】
【０００２】
最近、家庭用冷蔵庫は大型化が進んでおり、しかも両開き扉タイプの大型冷蔵庫の需要が拡大している。そして上記両開き扉タイプの大型冷蔵庫の需要拡大とともに前記両開き扉の左右の扉段差が目立つようになってきており、大きな問題点となっている。そのため、これに対応すべく冷蔵庫の外郭となる断熱箱体は種々の工夫をなしてその剛性を高めている（例えば、特許文献１参照）。
【０００３】
図１９は上記特許文献１に記載されている冷蔵庫の外箱構成を示し、この外箱は天板１０１と両側板１０２とを有する外箱１０３の前記両側板１０２それぞれの下辺に沿って略Ｌ字状の枠補強部材１０４を設け、かつ、前記両側板１０２の正面側を前板部材１０５で連結し、更に前記外箱１０３の正面側の下コーナ部の位置において、前記前板部材１０５と前記枠補強部材１０４とを螺子１０６で連結した構成としてある。
【先行技術文献】
【特許文献】
【０００４】
【特許文献１】特開２０１３−５７４３０号公報
【発明の概要】
【発明が解決しようとする課題】
【０００５】
上記従来の構成によれば、両側板１０２と前板部材１０５と枠補強部材１０４とを螺子１０６で連結したことによって、外箱１０３の剛性を高めることができ、両開き扉タイプの冷蔵庫であってもその両開き扉の左右扉の段差を低減することができる。
【０００６】
しかしながら、上記従来の構成は、両開き扉の外装が金属薄板材で形成されているタイプの冷蔵庫では扉段差を解消できていたが、最近商品化され需要が拡大し始めているガラス板扉タイプの高品位冷蔵庫では再び両開き扉の左右扉に段差問題が生じ始めている。
【０００７】
これは、従来のように両側板１０２と前板部材１０５と枠補強部材１０４とを連結しただけのものは、外箱１０３の剛性を高めてはいるものの、前記両側板１０２と前板部材１０５と枠補強部材１０４とが両側板１０２の正面側コーナ部で螺子１０６固定されているだけであるため、長期間使用しているうちに当該前板部材１０５と枠補強部材１０４との連結部に加わる扉の荷重、すなわち片持ち支持しているために加わる扉の回転モーメント荷重に枠補強部材１０４が抗しきれず、時間の経過とともに前記前板部材１０５と枠補強部材１０４との連結部を中心に両側板１０２が左右いずれかの方向に微妙に傾斜もしくは屈曲するような形で変形し始め、左右扉の段差が生じこれが時間の経過とともに顕在化するのであった。
【０００８】
特に両開き式扉であって最近需要が拡大し始めているガラス扉タイプの冷蔵庫の場合、一方の大きい方の扉の荷重はガラス板の荷重も加わってかなり増加し大重量化している。そのため、このガラス扉タイプの冷蔵庫は、ガラス扉を片持ち支持している側の側板１０２の前板部材１０５と枠補強部材１０４との連結部に加わる回転モーメント荷重が相当大きなものとなっていると考えられ、前板部材１０５と枠補強部材１０４との連結部を中心とした両側板１０２の傾斜もしくは屈曲方向への変形力は大きなものとなっていると推測され、何らかの対策が必要である。
【０００９】
本発明はこのような点に鑑みてなしたもので、扉がガラス扉等のように大重量化しても左右扉の段差を抑制できる冷蔵庫を提供できるようにすることを目的としたものである。
【課題を解決するための手段】
【００１０】
本発明は上記目的を達成するため、外箱と内箱とで構成される冷蔵庫であって、前記外箱の正面側の下端に位置する前板部材と、前記外箱の下部のコーナ部を補強するための補強部材とを備え、前記補強部材は、前記外箱の下部の正面側のコーナ部から前記前板部材に沿って伸びる第１部材と、前記外箱の下部の正面側のコーナ部から上方に延びる第２部材と、前記外箱の下部の正面側のコーナ部から前記外箱の下部の背面側のコーナ部に延びる第３部材と、前記外箱の下部の背面側のコーナ部から上方に延びる第４部材とが一体化されたものであり、前記第１部材が前記前板部材に固定されることを特徴とする。また、外箱と内箱とで構成される冷蔵庫であって、前記外箱の正面側の下端に位置する前板部材と、前記外箱の下部のコーナ部を補強するための補強部材とを備え、前記補強部材は、前記外箱の下部の正面側のコーナ部から前記前板部材に沿って伸びる第１部材と、前記外箱の下部の正面側のコーナ部から上方に延びる第２部材と、前記外箱の下部の正面側のコーナ部から前記外箱の下部の背面側のコーナ部に向かって延びる第３部材とが一体化されたものであり、前記第１部材が前記前板部材に固定されることを特徴とする。
【発明の効果】
【００１２】
本発明は、ガラス扉等のように大重量化した扉を装備した状態で長期間使用していても左右扉に段差が生じるのを抑制できる冷蔵庫を提供することができる。
【図面の簡単な説明】
【００１３】
【図１】本発明の実施の形態１における冷蔵庫の外観斜視図
【図２】同冷蔵庫の概略縦断面図
【図３】同冷蔵庫の要部を示す斜視図
【図４】同冷蔵庫の正面側コーナ部分の斜視図
【図５】同冷蔵庫の正面側コーナ部分の裏面図
【図６】同冷蔵庫の正面側コーナ部分を運搬用把手部分で切断したときの斜視図
【図７】同冷蔵庫の正面側コーナ部分を冷蔵庫本体脚部分で切断したときの斜視図
【図８】（ａ）（ｂ）（ｃ）同冷蔵庫の正面側コーナ部分における側板、枠補強部材、前板部材の連結構成を示す一部欠裁拡大斜視図
【図９】同冷蔵庫の外箱を構成する外箱、枠補強部材、前板部材の分解斜視図
【図１０】同冷蔵庫の外箱を構成する外箱、枠補強部材、前板部材の連結部分を示す分解斜視図
【図１１】（ａ）同冷蔵庫の前板部材を内部側から見た斜視図、（ｂ）同前板部材を正面側から見た斜視図
【図１２】（ａ）同冷蔵庫の枠補強部材を内部後方側から見た斜視図、（ｂ）同枠補強部材を正面側から見た斜視図
【図１３】同冷蔵庫の外箱背面下方部分を後方から見た斜視図
【図１４】同冷蔵庫の外箱背面下方部分における枠補強部材と背面補強板との連結構成を示す一部欠裁斜視図
【図１５】同冷蔵庫の枠補強部材の他の例を示す斜視図
【図１６】本発明の実施の形態２における冷蔵庫の正面側コーナ部分の斜視図
【図１７】同冷蔵庫の正面側コーナ部分を冷蔵庫本体脚部分で切断したときの斜視図
【図１８】図１７のＡ−Ａ断面図
【図１９】従来の冷蔵庫における外箱構成を示す斜視図
【発明を実施するための形態】
【００１４】
第１の発明は、天板と両側板を有する外箱と、前記両側板の正面側の下端に位置する前板部材と、前記両側板のそれぞれの下辺に沿って設けた外箱補強用の枠補強部材とを備え、前記外箱の正面側下コーナ部の位置において、前記両側板と前板部材と前記枠補強部材とを連結固定するとともに、前記枠補強部材には前記両側板同士の間に向かって延びる支持板枠部を設け、この支持板枠部を前記両側板に連結した前板部材の底板部分に当接させた構成としてある。
【００１５】
これにより、外箱はその両側板と前板部材と枠補強部材との連結によってその剛性が高められるとともに、ガラス扉等のように大重量化している扉であって、しかも両開き扉の大きい方の扉の重量を受けて前板部材との連結固定部を中心に左右方向に傾斜もしくは屈曲させようとする両側板の回転モーメント荷重を当該両側板同士の間に延びている支持板枠部の先端部が前板部材底板部分に当接して支えるようになるので、当該大きな扉の重量による回転モーメント荷重による両側板の傾斜変形も確実に防止することができ、左右扉の段差を効果的に抑制することができる。
【００１６】
第２の発明は、第１の発明において、前記枠補強部材は、側板の下辺に沿って位置する側板枠部と、側板の正面側の端縁に沿って立ち上がる縦枠部と、外箱の両側板同士の間に向かって延びる支持板枠部との三軸枠部構成とし、前記側板枠部を側板下端部に、前記縦枠部を側板の正面側端部に、前記支持板枠部を前板部材にそれぞれ固定した構成としてある。
【００１７】
これにより、外箱は扉開口があってなおかつ扉荷重が加わって変形しやすい正面側の両側板下コーナ部を枠補強部材の三軸枠部によって補強することができ、外箱の変形をより確実に防止できて扉段差をさらに効果的に抑制することができる。
【００１８】
第３の発明は、第１または第２の発明において、前記両側板を連結した前板部材の底板面両端部分に運搬用把手を配置し、前記運搬用把手と枠補強部材の支持板枠部とを対向させてこれら両者を前板部材に重合固定した構成としてある。
【００１９】
これにより、枠補強部材の支持板枠部を重合固定した部分の前板部材強度を運搬用把手によって高めて支持板枠部による補強効果を向上させ、より確実に側板変形を防止することができると同時に、枠補強部材の支持板枠部が運搬用把手に加わる荷重受け部としても作用するので、前板部材の薄板化によるコストダウンを図りつつ当該前板部材自体の変形を防止して外箱の確実な変形防止が可能とすることができる。
【００２０】
第４の発明は、前記枠補強部材はその後端部に第二縦枠部を備え、この第二縦枠部を両側板の後面側端部に固定した構成としてある。
【００２１】
これにより、外箱の後面側コーナ部を第二縦枠部によって補強することができ、外箱の変形防止をより確実なものとすることができて扉段差をさらに効果的に抑制することができる。
【００２２】
第５の発明は、第２〜第４の発明において、前記枠補強部材の正面片とこれに固定する外箱両側板フランジ部との間にスペーサ部材を介在させた構成としてある。
【００２３】
これにより、外箱両側板フランジ部を枠補強部材の正面片にビス止め固定するような場合、外箱両側板フランジ部が枠補強部材の正面片側に屈曲変形するのを防止でき、外観を
良好なものすることができる。
【００２４】
第６の発明は第１〜第５の発明において、前記枠補強部材の支持板枠部は別体構成とし、この支持板枠部を枠補強部材に後付け固定した構成としてある。
【００２５】
これにより、枠補強部材と支持板枠部とを形成するにあたっての材料取が無駄なく行え、コストダウンを図ることができる。
以下、本発明の実施の形態について、図面を参照しながら説明する。なお、この実施の形態によって本発明が限定されるものではない。
【００２６】
（実施の形態１）
図１は本発明の実施の形態１における冷蔵庫の外観斜視図、図２は同冷蔵庫の概略縦断面図、図３〜図１４は同冷蔵庫の外箱剛性向上構成を説明するための図である。
【００２７】
図１、図２において、この冷蔵庫の冷蔵庫本体１は、前方に開口する金属製の外箱２と、硬質樹脂製（例えばＡＢＳ）の内箱３と、これら外箱２と内箱３との間に発泡充填した硬質の発泡ウレタン等の発泡断熱材４からなる。上記冷蔵庫本体１はその内部に、冷蔵室５と、冷蔵室５の下に位置する切替室６及び切替室６に並設した製氷室７と、切替室６及び製氷室７の下部に位置する冷凍室８と、冷凍室８の下部に位置する野菜室９とを有する。また、前記冷蔵室５の前面は、例えば観音開き式の扉１０，１０により開閉自由に閉塞し、切替室６及び製氷室７と冷凍室８と野菜室９の前面部は引き出し式の扉１１，１２，１３，１４によって開閉自由に閉塞してある。
【００２８】
上記各扉１０〜１４は冷蔵庫本体１と同様硬質のウレタンを発泡充填して断熱性を持たせてあり、更に意匠性を向上させるべくその前面はガラス板等の透明前板を装着して構成してある。また、冷蔵室５の前面の観音開き式の扉１０，１０はその一側端上下部分を冷蔵庫本体１の外箱２に装着したヒンジ部材１５によって軸支してあり、その一方の扉は他方の扉よりも大きく構成されている。
【００２９】
一方、冷蔵庫本体１の背面には冷却室１６があり、冷気を生成する冷却器１７と、冷気を各室に供給する送風ファン１８とが設けてある。また、上記冷蔵庫本体１の本体天面奥部には圧縮機１９が設けてあり、コンデンサ（図示せず）と、放熱用の放熱パイプ２０と、キャピラリーチューブ２１と、前記した冷却器１７とを順次環状に接続してなる冷凍サイクルに冷媒を封入し、冷却運転を行うように構成してある。
【００３０】
上記冷蔵庫本体１を構成する外箱２は、図３〜図１４、特に外箱２を背面側から見た図９に示すように、天板２ａ左右の両側板２ｂの下辺に沿ってそれぞれ枠補強部材２３を装着するとともに、当該両側板２ｂの正面側下端部を前板部材２４で連結してその剛性を向上させてある。
【００３１】
すなわち、外箱２はまず一枚の鋼板を略コ字状にプレス成形して構成してあり、天板２ａの両側に連なる左右の側板２ｂの背面側に背面板２ｅを装着して前面及び下面を開口した箱状に形成してある。そして、上記左右の両側板２ｂの前後端縁の長辺には、内側に向かって略直角に折曲したフランジ部２ｃを設け、このフランジ部２ｃの下端部には上下二つのネジ孔２５が設けてある。更に、両側板２ｂの下辺にもフランジ部２ｄとネジ孔２６（図１０参照）が設けてある。
【００３２】
次に前板部材２４は、図１１に示すように、前板部２４ａと底板部２４ｂとを備えていて、図１０に示すように前板部２４ａの両端部分に前記外箱２の両側板フランジ部２ｃのネジ孔２５に螺子２７−１（図８参照）で固定する上下二つの螺子用孔２８と水平方向に
位置する螺子用孔２９が形成してある。そして、底板部２４ｂの両端部分には冷蔵庫本体１の運搬用把手３０（図４〜図６参照）をねじ止めするネジ孔３１が形成してある。なお、前板部材２４は厚さ０．８ｍｍの鋼板で形成してあり、その前板部２４ａは強度を向上させるために底板部２４ｂの前端部分を二重に折り返して形成してある。
【００３３】
一方、枠補強部材２３は、例えば、厚さ１．２ｍｍの堅牢な鋼板で形成してあり、図１２に示すように、外箱２の両側板２ｂ下辺に沿って位置する断面略Ｌ字状の側板枠部２３ａの正面側端部に前記外箱２の両側板２ｂの正面側フランジ部２ｃ内面に沿って立ち上がる縦枠部２３ｂを設けるとともに、同側板枠部２３ａの背面側の後端部には外箱２の両側板２ｂの背面側フランジ部内面に沿って立ち上がる第二縦枠部２３ｃを設けて構成してある。
【００３４】
そして、この枠補強部材２３は、その側板枠部２３ａの正面側端部に、側板枠部２３ａの底面片２３ａａ内縁よりも中央寄り部分に向かって突出、換言すると前記外箱２の両側板２ｂ同士の間に向かって横方向に延びる支持板枠部２３ｄを更に設けて構成してある。
【００３５】
上記枠補強部材２３の支持板枠部２３ｄは、縦枠部２３ｂの側面から適宜寸法、例えばこの実施の形態では１００ｍｍ以上の長さに形成して前記前板部材２４の底板部２４ｂの上面に当接するように形成し、かつ、縦枠部２３ｂと同様断面略Ｌ字状に形成してその剛性を高めてある。そして、支持板枠部２３ｄの断面略Ｌ字状の底板側となる底面片２３ｄｄには前記運搬用把手３０をねじ止めする前板部材２４のネジ孔３１と対応するネジ孔３３が形成してある。
【００３６】
さらに、前記枠補強部材２３は、上記支持板枠部２３ｄおよび縦枠部２３ｂの断面略Ｌ字状の一方の片となる正面片２３ｄｄｄ、２３ｂｂを重ね結合してその部分に前記外箱２の両側板フランジ部２ｃのネジ孔２５および前板部材２４の前板部２４ａの螺子用孔２８に対応するネジ孔３２（図１０参照）が形成してある。また、同正面片２３ｄｄｄ、２３ｂｂの結合部分には前板部材２４の前板部２４ａに設けた螺子用孔２９に対応するネジ孔３２ａが形成してある。更に側板枠部２３ａの底面片２３ａａには外箱両側板２ｂ下辺のフランジ部ｄにネジ止めするためのネジ孔３４が形成してある。
【００３７】
また、枠補強部材２３はその後端部に設けた第二縦枠部２３ｃに外箱２の両側板２ｂの後端長辺に設けたフランジ部２ｃ（図１３参照）にビス止めするネジ孔３５が形成してあり、このネジ孔３５を利用して図１３、図１４に示すように外箱２の両側板２ｂの後端部を樹脂製の背面補強板３６によって連結補強してある。
【００３８】
なお、図３等において用いている３７は外箱２の両側板２ｂ間の底面開口を覆う底板で、前板部材２４の後端縁及び外箱両側板の下面フランジ２ｄにビス止め固定してある。３８は上記底板上面に配管した冷媒管で、外箱２となる底板３７と内箱３との間に充填発泡した発砲断熱材中に埋設される形となる。３９（図７参照）は側板枠部２３ａの底面片２３ａａにビス止めした冷蔵庫本体脚、４０は本体移動用コロである。
【００３９】
次に、上記枠補強部材２３及び前板部材２４の外箱２への組み付け作業について説明する。
【００４０】
まず、外箱両側板２ｂのフランジ部２ｃ内面に前板部材２４の前板部２４ａが位置する様に外箱２の両側板２ｂ下辺と前板部材２４とを重ね合わせる。次に、上記外箱２の両側板２ｂの内面に枠補強部材２３をあてがってその側板枠部２３ａが外箱両側板２ｂの下辺に沿うように前記前板部材２４の両側部に重ね合わせる。
【００４１】
これにより枠補強部材２３の縦枠部２３ｂは外箱両側板２ｂのフランジ部２ｃ内面に沿うとともに、第二縦枠部２３ｃは外箱両側板２ｂの背面側のフランジ部内面に沿い、かつ、支持板枠部２３ｄが前板部材２４の底板部２４ｂに当接する。
【００４２】
この状態で、外箱両側板２ｂのフランジ部２ｃ下端のネジ孔２５と前板部材２４の前両側部の螺子用孔２８と枠補強部材２３の正面片２３ｄｄｄのネジ孔３２とを合致させて螺子２７−１（図８参照）をねじ込み、前記外箱両側板２ｂのフランジ部２ｃと前板部材２４と枠補強部材２３の縦枠部２３ｂの正面片２３ｂｂとを連結固定する。
【００４３】
また、前板部材２４の前両側部に設けた他方の螺子用孔２８と枠補強部材２３の支持板枠部２３ｄの正面片２３ｄｄｄに設けたネジ孔３２ａに螺子２７−２（同図８参照）をねじ込み、前記前板部材２４と枠補強部材２３の支持板枠部２３ｄとを連結固定する。
【００４４】
なお、枠補強部材２３の縦枠部２３ｂと前板部材２４の前板部２４ａの間には図示していないが、内箱３の下方角部のフランジ部分が挟持される。
【００４５】
さらに、枠補強部材２３に設けた支持板枠部２３ｄの底面片２３ｄｄのネジ孔３３を前板部材２４の底板部２４ｂに設けたネジ孔３１に合致させてこれらを底面側からねじ込んだ螺子２７−３（図３参照）で締結固定する。
【００４６】
この時、上記前板部材２４の底板部２４ｂには運搬用把手３０をあてがって前記支持板枠部２３ｄとともに共締め固定する。
【００４７】
また、枠補強部材２３の側板枠部２３ａに設けたネジ孔３４と両側板２ｂ下面フランジ部２ｄに設けたネジ孔２６とを合致させてこれらを底面側からねじ込んだ螺子２７−４（図３参照）で締結固定する。
【００４８】
そして、枠補強部材２３の後端部に設けた第二縦枠部２３ｃを外箱２の両側板２ｂの後端長辺に設けたフランジ部（図示せず）にビス止め固定する。この時、外箱２の両側板２ｂの後端部に樹脂製の背面補強板３６を連結固定する。
【００４９】
以上により、外箱２への枠補強部材２３及び前板部材２４の組み付けを終え、外箱２はこれら枠補強部材２３及び前板部材２４によってその剛性を向上することになる。
【００５０】
すなわち、上記のように構成した冷蔵庫の外箱２は、前記外箱２の両側板２ｂと枠補強部材２３と前板部材２４とを連結したことによりまず従来と同レベルまでその剛性が高まる。
【００５１】
次に、この外箱２は、前記両側板２ｂを補強する枠補強部材２３に当該両側板２ｂの間に延びる支持板枠部２３ｄを設けているので、この支持板枠部２３ｄの先端部が前記両側板２ｂと前板部材２４との連結固定部を中心に図３の矢印Ａで示す左右方向に傾斜もしくは屈曲させようとする扉１０の回転モーメント荷重を支え、これに抗することができる程度までその剛性が向上する。したがって、扉がガラス扉化していて、なおかつその大型化して、大重量化している扉であっても、当該大重量化している扉回転モーメント荷重による両側板２ｂ傾斜変形も確実に防止することができ、左右扉の段差を効果的に抑制できる。
【００５２】
特に、外箱２の正面側は背面側とは異なり開口状態となっていてその剛性が背面側に比べ弱いが、この実施の形態のように枠補強部材２３に外箱両側板２ｂの間に向かって延びる支持板枠部２３ｄを設けることによってその正面側の剛性を背面側と同等かそれ以上に
まで高めることができ、扉が大重量化する冷蔵庫に特に効果的である。
【００５３】
また、この実施の形態では、前記枠補強部材２３は、側板２ｂの下辺に沿って位置する側板枠部２３ａと、側板２ｂの正面側の端縁に沿って立ち上がる縦枠部２３ｂと、外箱２の両側板２ｂ同士の間に向かって延びる支持板枠部２３ｄとの三軸枠部構成とし、前記側板枠部２３ａを側板２ｂの下端部に、縦枠部２３ｂを側板２ｂの正面側端部に、支持板枠部２３ｄを前板部材２４の底板部２４ｂにそれぞれ螺子固定してあるから、外箱２の正面側コーナ部はこれに三軸によって補強される形となる。したがって、開口状態となっていて、なおかつ、扉荷重が加わって変形しやすい外箱２の正面側の剛性はより高まり、外箱２の変形をより確実に防止できて長期間使用していても扉段差を効果的に抑制することができる。
【００５４】
また、上記枠補強部材２３の支持板枠部２３ｄは、冷蔵を運搬するときに用いる運搬用把手３０とともにこれに重合させて前板部材２４の底板部２４ｂにビス止めしてあるから、枠補強部材２３の支持板枠部２３ｄを重合固定した部分の前板部材強度を運搬用把手３０によって高めて支持板枠部２３ｄによる補強効果を向上させることができる。したがって、支持板枠部２３ｄを支える前板部材２４の強度を略Ｌ字状にしたことによる強度向上に加えて更に前記運搬用把手３０によっても向上させることができ、前板部材２４自体の変形をも防止して外箱２の確実な変形防止を可能とすることができる。しかも、上記枠補強部材２３の支持板枠部２３ｄは逆に運搬用把手３０に加わる荷重受け部としても作用するので、前板部材２４を薄板化して材料費を削減することができる。すなわち、コストダウンを図りつつ当該前板部材２４自体の変形をも防止して外箱２の確実な変形防止を実現することができる。
【００５５】
更に、外箱２の背面側は枠補強部材２３の後端部の第二縦枠部２３ｃを両側板の後面側端部に固定してあるから、背面側の剛性も従来と同レベルまで高めることができ、外箱２の変形防止をより確実なものとすることができる。
【００５６】
なお、外箱２の背面側にも大きな荷重が加わるような構成となる場合には、前記枠補強部材２３の後端部側も正面側と同じ三軸構成とし、背面側の剛性を高めればよく、これにより更に強力に外箱変形を防止でき扉段差発生を確実に予防することができる。
【００５７】
また、枠補強部材２３の支持板枠部２３ｄは、側板枠部２３ａ、縦枠部２３ｂ、第二縦枠部２３ｃとともに一枚の鋼板で一体形成したものを例示したが、この支持板枠部２３ｄは図１５に示すように別鋼板で形成して側板枠部２３ａの底面片２３ｄｄにビス止め或いはカシメもしくは溶接等により後付け固定して一体化する形としてもよく、これにより枠補強部材２３の材料取を無駄なく行えるようになって効果的である。
【００５８】
（実施の形態２）
図１６は本発明の実施の形態２における冷蔵庫の正面側コーナ部分の斜視図、図１７は同冷蔵庫の正面側コーナ部分を冷蔵庫本体脚部分で切断したときの斜視図、図１８は図１７のＡ−Ａ断面図である。
【００５９】
この実施の形態２の冷蔵庫は、図１８に明示したように前記枠補強部材２３の正面片２３ｂｂと支持板枠部２３ｄは溶接で一体化され、前記枠補強部材２３の正面片２３ｂｂと外箱両側板２ｂのフランジ部２ｃ及び前板部材２４の前板部２４ａとの間に樹脂製のスペーサ部材４１を介在させるとともに、前記外箱両側板２ｂのフランジ部２ｃ及び前板部材２４の前板部２４ａを枠補強部材２３の正面片２３ｂｂに固定するための螺子２７−１を下方の一つのみとしたものである。また、支持板枠部２３ｄと前板部２４ａとの間に樹脂製のスペーサ部材４１を介在させるとともに、前板部２４ａを支持板枠部２３ｄに固定す
るための螺子２７−２を配してある。また、３ａは内箱３の下方角部のフランジ部分であり、支持板枠部２３ｄと前板部２４ａの間に挟持される。
【００６０】
上記構成により、この冷蔵庫は、外観を良好なものとすることができる。すなわち、上記スペーサ部材４１を内箱３の下方角部のフランジ部分３ａの下方の空間となる枠補強部材２３の正面片２３ｂｂと外箱両側板２ｂのフランジ部２ｃ及び枠補強部材２３の正面片２３ｂｂとの間に介在させることによって、螺子２７−１の締め付けすぎによる外箱両側板２ｂのフランジ部２ｃが枠補強部材２３の正面片２３ｂｂ側に屈曲変形するのを防止できる。したがって、外観を良好なものに維持できる。加えて、螺子２７−１の締め付け作業に気を使う必要もなくなり、作業性を向上させることができる。
【００６１】
また、外箱両側板２ｂのフランジ部２ｃ及び前板部材２４の前板部２４ａを枠補強部材２３の正面片２３ｂｂに固定するための螺子２７−１を下方の一つのみとしたことによって、外箱両側板２ｂのフランジ部２ｃに接する扉内面に設ける扉パッキンをより扉下端部側へ移設して貯蔵室開口面積を増大させることが可能となる。
【００６２】
また、支持板枠部２３ｄと前板部２４ａとの間に樹脂製のスペーサ部材４１を介在させることによって、螺子２７−２の締め付けすぎによる前板部材２４の前板部２４ａが枠補強部材２３の正面片２３ｂｂ側に屈曲変形するのを防止できる。したがって、外観を良好なものに維持できる。
【００６３】
なお、その他の構成及び作用効果は前記実施の形態１と同様であり、説明は省略する。
【００６４】
以上、本発明に係る冷蔵庫について、上記実施の形態を用いて説明したが、本発明は、これに限定されるものではない。すなわち、今回開示された実施の形態はすべての点で例示であって制限的なものではないと考えられるべきである。つまり、本発明の範囲は上記した説明ではなくて特許請求の範囲によって示され、特許請求の範囲と均等の意味及び範囲内でのすべての変更が含まれることが意図される。
【産業上の利用可能性】
【００６５】
以上のように本発明は、大重量化した扉の重量によって生じる回転モーメント荷重による両側板の傾斜もしくは屈曲変形を効果的に抑制して左右扉の段差を確実に防止でき、ガラス扉等のように大重量化した扉を装備した状態で長期間使用していても左右扉に段差が生じるのを抑制できる高品位な冷蔵庫を提供することができる。よって、一般用はもちろん業務用の冷蔵庫やワインクーラーにも幅広く適用できる。
【符号の説明】
【００６６】
１  冷蔵庫本体
２  外箱
２ａ  天板
２ｂ  側板（両側板、外箱両側板）
２ｃ  フランジ部（両側板フランジ部、正面側フランジ部）
５  冷蔵室
１０，１１，１２，１３，１４  扉
２３  枠補強部材
２３ａ  側板枠部
２３ｄｄ  底面片
２３ｂ  縦枠部
２３ｃ  第二縦枠部
２３ｄ  支持板枠部
２４  前板部材
２４ａ  前板部
２４ｂ  底板部
３０  運搬用把手
３６  背面補強板
４１  スペーサ部材
【図１】
0006695020.tif 000002
【図２】
0006695020.tif 000003
【図３】
0006695020.tif 000004
【図４】
0006695020.tif 000005
【図５】
0006695020.tif 000006
【図６】
0006695020.tif 000007
【図７】
0006695020.tif 000008
【図８】
0006695020.tif 000009
【図９】
0006695020.tif 000010
【図１０】
0006695020.tif 000011
【図１１】
0006695020.tif 000012
【図１２】
0006695020.tif 000013
【図１３】
0006695020.tif 000014
【図１４】
0006695020.tif 000015
【図１５】
0006695020.tif 000016
【図１６】
0006695020.tif 000017
【図１７】
0006695020.tif 000018
【図１８】
0006695020.tif 000019
【図１９】
0006695020.tif 000020